(57)【要約】      （修正有）【課題】日常は通常の敷物として使用しながら、足の疲労を感じたときには施療部材を簡単に取付けることにより、即座に足裏マッサージなどの足裏施療用敷物として利用でき、また、前記施療部材を簡単に取り外すことにより、洗濯が容易で衛生的な足裏施療子付敷物を提供する。【解決手段】面状ファスナーと接離可能な形状の伸縮自在な連結部材２で施療子１を連結した施療部材を、敷物４の表面に着脱自在に設けることにより、日常は通常の敷物として使用しながら、足の疲労を感じたときには簡単に施療部材を取付けることにより、足裏施療用敷物として利用できる敷物。【選択図】図１
0003116638.tif 000002
【実用新案登録請求の範囲】
【請求項１】
面状ファスナーと接離可能な形状の連結部材で、施療子を連結した施療部材を、敷物の表面に着脱自在に設ける足裏施療子付敷物であって、帯状の取付け部材の一端を敷物の表面に固着して、前記取付け部材の他端に面状ファスナーを形成して前記面状ファスナーを前記連結部材と接合させることにより、この接合させた位置を支点にして、各施療子が敷物の表面上を転動自在としたことを特徴とする足裏施療子付敷物。
【請求項２】
面状ファスナーと接離可能な形状の連結部材で、施療子を連結した施療部材を、敷物の表面に着脱自在に設ける足裏施療子付敷物であって、敷物の表面に面状ファスナーのある固定片を設け、前記固定片の面状ファスナーと接離可能な面状ファスナーを有する帯状の接合片が前記連結部材を介して前記固定片に接合させて固着することにより、この接合させた位置を支点にして、各施療子が敷物の表面上を転動自在としたことを特徴とする足裏施療子付敷物。
【請求項３】
前記連結部材を伸縮自在としたことを特徴とする請求項１および請求項２記載の足裏施療子付敷物。
【請求項４】
前記連結部材を面状ファスナーと接離可能に被覆処理したゴム紐で形成したことを特徴とする請求項３記載の足裏施療子付敷物。
【請求項５】
前記施療子が硬質ゴム樹脂素材で、表面に複数個の突起を形成した球状体でできており、パイル織した敷物の表面で、前記施療子を載せる領域が他の領域に比して背高の低いパイルでできたことを特徴とする請求項１乃至請求項４記載の足裏施療子付敷物。
【考案の詳細な説明】
【技術分野】
【０００１】  本考案は、足裏施療子を装着した敷物に関する。
【背景技術】
【０００２】  足裏施療子を装着した敷物として、敷物内部に刺激球を相互に連結部材で連結して配装した敷物が知られている（特許文献１）。【０００３】  また、紐に２つの球体をスライド自在に設けた球体健康器具が知られている（特許文献２）。【０００４】  表面に刺激効果の高い起伏を施した刺激体を回転移動させ易い球状にして、刺激体が移動し易い平ら、又は刺激を強化したい場合は起伏を施した平面的な基盤上に置いて、自身の足の力で球状刺激体を押しながら回転させることによって、足裏のツボにあらゆる角度からポイントを絞り込むように刺激を与える足裏マッサージ器具が知られている（特許文献３）。【０００５】
【特許文献１】実公平７−５１０１５号公報
【特許文献２】実開平４−６７４４３号公報
【特許文献３】登録実用新案第３０９９６９９号公報
【考案の開示】
【考案が解決しようとする課題】
【０００６】  しかしながら、上記特許文献１の敷物においては、刺激球を敷物内部に配装する製造面での工程が必要であり、しかも足裏施療を行わない場合のいわゆるカーペットやマットとして利用できず用途面で制約があり、上記特許文献２の球体健康器具においては、２つの球体の上にそれぞれ足を乗せれば、土踏まず部分が足の自重により押圧するが、例えばカーペットやマット上で使用しても球体が足から外れて足元から遠くに転がり施療作業に手間がかかるという問題がある。さらに、上記特許文献３の足裏マッサージ器具においては、回転移動する刺激体を基盤上から飛び出ないようにする必要がある。【０００７】  本考案は、上記の制約や問題点を解消し、日常は通常の敷物として使用しながら、足の疲労を感じたときには施療部材を簡単に取付けることにより、即座に足裏マッサージなどの足裏施療用敷物として利用でき、また、前記施療部材を簡単に取り外すことにより、洗濯が容易で衛生的な足裏施療子付敷物を提供することを目的とする。
【課題を解決するための手段】
【０００８】  以上の課題を解決して、足裏を刺激し健康増進を図るため、本考案の請求項１の足裏施療子付敷物では、面状ファスナーと接離可能な形状の連結部材で、施療子を連結した施療部材を、敷物の表面に着脱自在に設ける足裏施療子付敷物であって、帯状の取付け部材の一端を敷物の表面に固着して、前記取付け部材の他端に面状ファスナーを形成して前記面状ファスナーを前記連結部材と接合させることにより、この接合させた位置を支点にして、各施療子が敷物の表面上を転動自在としたことを特徴とするので、施療子のある施療部材を簡単に取り外すことができ、敷物も通常使用でき洗濯もできるため、衛生的である。【０００９】  また、本考案の請求項２の足裏施療子付敷物では、面状ファスナーと接離可能な形状の連結部材で、施療子を連結した施療部材を、敷物の表面に着脱自在に設ける足裏施療子付敷物であって、敷物の表面に面状ファスナーのある固定片を設け、前記固定片の面状ファスナーと接離可能な面状ファスナーを有する帯状の接合片が前記連結部材を介して前記固定片に接合させて固着することにより、この接合させた位置を支点にして、各施療子が敷物の表面上を転動自在としたことを特徴とする請求項１の考案と同等の効果があるとともに、施療子のある施療部材を敷物から取り外したとき、面状ファスナーを形成したファスナー部のみが敷物に残るので、足踏み上の支障がない。【００１０】  本考案の請求項３の足裏施療子付敷物では、前記連結部材を伸縮自在としたので、使用の際には足裏の位置や両足の任意の間隔調整が容易であり、敷物の表面上を広く利用することができる。【００１１】  本考案の請求項４の足裏施療子付敷物では、前記連結部材を面状ファスナーと接離可能に被覆処理したゴム紐で形成したことを特徴とするので、取付け部材である面状ファスナーとの圧着性が増し、さらにゴム紐特性の伸縮作用により、使用の際には足裏の位置や両足の任意の間隔調整が容易であり、敷物の表面上を広く利用することができる。
る。【００１２】  本考案の請求項５の足裏施療子付敷物では、前記施療子が硬質ゴム樹脂素材で、表面に複数個の突起を形成した球状体でできており、パイル織した敷物の表面で、前記施療子を転動させる領域が、他の領域に比して背高の低いパイル織にすることにより、前記施療子の転動抵抗が少なく、自由自在に任意の足裏ツボ位置に移動が容易なことを特徴とするので、施療効果が大である。
【考案の効果】
【００１３】  請求項１乃至請求項４の考案によれば、日常は通常の敷物として炊事など家事を行いながら、同時に足裏の施療ができる。また、施療部材を取り外し、単体でも他の場所で施療ができ、この施療部材を取り外した敷物も洗濯が容易で衛生的である。
【考案を実施するための最良の形態】
【００１４】  本考案の一実施形態を図１および図２に示す。敷物４は、その表面に左右一対の足形模様で、他の領域４ｂに比しパイルの背高の低い（言い換えれば短い）領域４ａが形成されている。【００１５】  ２個の施療子１は硬質ゴム樹脂素材からなり、その表面には、半円球状の突起が多数設けられている。前記施療子１の形状は球体が望ましいが、円柱状、多角柱状、またはフットボール状でもよい。本考案の実施例では２個の施療子１を一対としているが、複数対でもよいし、左右のうち片方のみでもよい。さらにこれら施療子１の素材も硬質ゴム樹脂素材を使用しているが、繊維素材、プラスチック素材や竹製、木製、皮革、金属、陶磁器、ガラス、石材でもよいし、磁気治療も兼ねる磁性体で構成してもよい。【００１６】  前記２個の施療子１は、離間してゴム紐でできた連結部材２で伸縮自在に連結されており、前記連結部材２のゴム紐は、面状ファスナーと接離可能な繊維で被覆されている。このように連結部材２は伸縮自在であるとともに面状ファスナーと接離可能な形状となっているが、連結部材２を伸縮自在とせず一般の紐で構成してもよい。しかし、連結部材２を伸縮自在とすることにより、使用の際には足裏の位置や両足の任意の間隔調整が容易であり、敷物の表面上を広く利用することができるので、ゴム紐をコイルバネに置き換えてその表面に伸縮自在な繊維をチューブ状に被覆してもよい。また、連結部材２の表面に面状ファスナーを縫い付けて、取付け部材３の他端３ｂの面状ファスナーと接離可能にしてもよい。【００１７】  パイル織した敷物４の表面には、図１に示すような左右一対の足形模様で、パイルの背高の低い領域４ａが形成されている。前記足形模様間の一部にも同様に、パイルの背高の低い領域４ａが形成されており、取付け部材３の一端３ａが、敷物４の表面で足形模様間の前記一部に縫い付け固着されている。前記取付け部材３の他端３ｂに面状ファスナーが形成されており、敷物４の表面において前記取付け部材３の他端３ｂが自由になっている。【００１８】  前記敷物４への取付け部材３の取付けについて、その実施例を図３乃至図７にて説明する。取付け部材３の一端３ａが敷物４の表面に縫い付け固着されている（図３参照）。前記取付け部材３の他端３ｂに面状ファスナーが形成されており、敷物４の表面において前記取付け部材３の他端３ｂが自由になっている。そこで、前記他端３ｂを手指Ａで掴んで（図５参照）で、前記取付け部材３の他端３ｂの面状ファスナーを前記連結部材２と接合させる（図６、図７および図４参照）。このように、取付け部材３を連結部材２の表面と接合させるとずれ難くなり、接合させた位置を支点にして、各施療子１を敷物の表面でそのパイルの背高の低い領域４ａにて転動自在として図１１に示すように、足Ｂを各施療子１に載せて足裏を施療するのである。この実施形態によれば、施療子１の硬質ゴム樹脂素材の作用で足Ｂの足裏が滑りにくく、複数の半円球状突起の作用で足裏のツボに心地よい刺激を与えられる。なお、面状ファスナーは取付け部材３の他端３ｂに形成されていることを説明したが、取付け部材３全体にフックとループを一体にして形成すれば、接合がより強固となる。【００１９】  次に、施療子１を前記敷物４に取付ける、異なる実施例について図８乃至図１０を参照して説明する。パイル織した敷物４には、面状ファスナーの固定片５ａが縫い付けられている。また、５ｂは前記固定片５ａの面状ファスナーに接離可能な面状ファスナーと、接離可能な帯状の接合片である。この場合、前記固定片５ａをパイル織した敷物４の表面で他の領域４ｂに比し、パイルの背高の低い領域４ａを形成して縫い付ければ敷物４の表面上で邪魔にならないという効果があるとともに、縫い付け前の目印にもなるなどの効果を奏する。【００２０】  前記接合片５ｂを手指Ａで掴んで（図８参照）、施療子１の連結部材２を介して、前記固定片５ａに面状ファスナー同士を接合させる（図９および図１０参照）。このようにして前記連結部材２が敷物４に接合し、その接合させた位置を支点にして、各施療子１が敷物４の表面上を転動自在として、図１１に示すように足Ｂの足裏を施療するのである。【００２１】  本考案の敷物、施療子および連結部材には抗菌処理を施したり、抗菌機能を有する部材で構成することにより、衛生的である。
【産業上の利用可能性】
【００２２】  本考案は同一の敷物で、台所用、風呂用等のカーペットやマットなどの敷物として利用したり、足裏を施療する健康器具としても利用したりすることができる。
【図面の簡単な説明】
【００２３】
【図１】本考案の一実施形態で、敷物に施療部材を取付けた平面図である。
【図２】図１の断面図である。
【図３】図１の施療部材を、連結部材に取付ける前の斜視図である。
【図４】図１の施療部材を、連結部材に取付けた斜視図である。
【図５】図１の施療部材を、連結部材に取付ける状態の斜視図である。
【図６】図１の施療部材を、連結部材に取付けた斜視図である。
【図７】図６の断面図である。
【図８】他の実施形態の施療部材を、連結部材に取付ける状態の斜視図である。
【図９】他の実施形態の施療部材を、連結部材に取付けた斜視図である。
【図１０】図９の断面図である。
【図１１】足裏を施療している使用状態を示す図である。
【符号の説明】
【００２４】  １  施療子
２  連結部材
３  取付け部材
３ａ  取付け部材の一端
３ｂ  取付け部材の他端
４  敷物
４ａ  パイルの背高の低い領域
４ｂ  他の領域
５ａ  固定片
５ｂ  接合片
Ａ  手指
Ｂ  足
【図１】
0003116638.tif 000003
【図２】
0003116638.tif 000004
【図３】
0003116638.tif 000005
【図４】
0003116638.tif 000006
【図５】
0003116638.tif 000007
【図６】
0003116638.tif 000008
【図７】
0003116638.tif 000009
【図８】
0003116638.tif 000010
【図９】
0003116638.tif 000011
【図１０】
0003116638.tif 000012
【図１１】
0003116638.tif 000013